【事件の表示】
　特願２００２−５４７４４９「尿素変性チキソトロピー剤を含有するマニキュア液組成物」拒絶査定不服審判事件〔平成１４年　６月１３日国際公開、ＷＯ０２／４５６６３、平成１６年　５月２０日国内公表、特表２００４−５１４７２８〕について、次のとおり審決する。
【結　論】
　本件審判の請求は、成り立たない。
【理　由】
１．手続の経緯
　本願は、平成１２年１２月４日を国際出願日とする出願であって、拒絶理由通知に応答して平成１７年８月２２日受付けで手続補正書と意見書が提出されたが、平成１７年１１月３０日付けで拒絶査定がなされ、これに対し、平成１８年３月２日に拒絶査定不服審判が請求され、平成１８年６月１５日受付けで請求理由の補正書（方式）が提出され、それに伴い手続補足書、上申書、手続補足書が提出されたものである。
　
２．本願発明
　本願請求項１〜２３に係る発明は、平成１７年８月２２日受付けの手続補正書の特許請求の範囲の請求項１〜２３に記載された事項により特定されるとおりのものと認められるところ、そのうち請求項１に係る発明（以下、「本願発明」という。）は、次のとおりのものである。
　「【請求項１】　ジアセトンアルコール及びＣ1〜Ｃ6アルキルアセテートとＣ1〜Ｃ6アルキルアルコールから選ばれる少なくとも１つの追加の溶媒から成る、香粧品として許容し得る溶媒系中に、
　少なくとも１つの皮膜形成物質及び
　少なくとも１つの尿素変性チキソトロピー剤を含み、前記少なくとも１つの尿素変性チキソトロピー剤は
次の式：
　R-O-CO-NH-R'-NH-CO-NH-R''-NH-CO-NH-R'-NH-CO-OR
（式中、
　ＲはCnH2n+1−及びCmH2m+1(CpH2pO)r−から選ばれ、
　ｎは４〜２２の整数であり、
　ｍは１〜１８の整数であり、
　ｐは２〜４の整数であり、
　ｒは１〜１０の整数であり、
　Ｒ’は
から選ばれ、
　Ｒ”は
から選ばれる）
を有する尿素ウレタンである、マニキュア液組成物。」
　
３．引用例
　原査定の拒絶理由に引用された本願出願前の刊行物である、国際公開第００／２７３４７号（以下、「引用例１」という。）と、特開昭５４−１５６０４０号公報（以下、「引用例２」という。）、特開２０００−３１９６２７号公報（以下、「引用例３」という。）には、次の技術事項が記載されている。なお、下線は当審で付した。
　
［引用例１］（英文であるため翻訳文で示す。）
　（1-i）「１．化粧料として許容しうる媒質中に、微小球及び少なくとも一種のフィルム形成物質を含有する
つめ被覆組成物
　（1-ii）「本発明に係る
つめ被覆組成物に有用なフィルム形成物質としては、
ニトロセルロースまたはその誘導体
が挙げられる
　（1-iii）「本発明に
使用できる化粧料として許容しうる媒質の例としては、非限定的に、アルキルアセテート（例えばメチル、エチル、プロピル、またはアミルアセテート）、アルコール類（例えばエチル、イソプロピル、ｎ−ブチルアルコール）
一態様においては、用いる媒質は、１から約４個の炭素を有するアルキル部分をもつアルキルアセテートである
混合媒質
　（1-iv）「
本発明つめ被覆組成物は、組成物を濃厚化し、つめ上によく展着させ、着色材を懸濁させるために、チキソトロープ剤乃至沈降遅延剤を含有してよい
有用なチキソトロープ剤には、尿素で修飾されたチキソトロープ剤、例えば
商品名ＢＹＫ−４１０としてＢＹＫ−Ｃｈｅｍｉｅから入手
チキソトロープ剤はコロイドゲルをつくり出すために十分な量でネイルエナメル組成物中に入れる
　（1-v）「下記の例は例示を意図するのであって、限定的なものではない。
　　　　　　　　実施例
実施例１
　下記製品を
着色した質感のあるネイルエナメル組成物
　　
　　　成分　　　　　
％w/w
　　エチルアセテート　　　　　　　　　 33.86
　　ブチルアセテート　　　　　　　　　 15.75
　　ニトロセルロース　　　　　　　　　 10.59
　　イソプロピルアルコール　　　　　　　7.36
　　ヘプタン　　　　　　　　　　　　　　4.96
　　プロピルアセテート　　　　　　　　　4.95
　　ポリエステル樹脂a 　　　　　　　　　4.58
　　ジブチルフタレート　　　　　　　　　4.75
　　ブチルアルコール　　　　　　　　　　1.41
　　ショウノウ　　　　　　　　　　　　　1.41
　　ステアラルコニウムヘクトライト　　　0.47
　　ビニルシリコーン共重合体b 　　　　　0.47
　　エトクリレン　　　　　　　　　　　　0.47
　　ベンゾフェノン−１　　　　　　　　　0.37
　　ジメチコーン（350センチストーク） 　0.10
　　グアニン　　　　　　　　　　　　　　0.17
　　オキシ塩化ビスマス　　　　　　　　　0.48
　　フェロシアン化第二鉄アンモニウム　　0.05
　　D  C Red #7  カルシウムレーキ　　　 0.10
　　アルミニウム　　　　　　　　　　　　1.70
　　W1012 Z-LIGHT SPHERESTM c 　　　　
　6.00　　
　　　　　　　　　　　　　　　　　　　100.00
ａ：Ｕｎｉｔｅｘ  Ｃｏ．から得られるＵＮＩＰＬＥＸ６７０−Ｐ
ｂ：Ｍｉｎｎｅｓｏｔａ  Ｍｉｎｉｎｇ  ａｎｄ  Ｍａｎｕｆａｔｕｒｉｎｇから得られるビニルシリコーン共重合体ＶＳ−８０
ｃ：Ｗ１０１２  Ｚ−ＬＩＧＨＴ  ＳＰＨＥＲＥＳTMは真密度０．７ｇ／ｃｃを有し、粒径分布は約５０ミクロンから約１０５ミクロンである、即ち、粒子の１０％は５０ミクロン未満の粒径をもち、５０％は６０ミクロン未満の粒径をもち、９０％は９５ミクロン未満の粒径をもつ。」（第１０頁末行〜第１１頁末行参照）
　
［引用例２］
　（2-i）「１．尿素基当たり０．１〜２．０モルの塩化リチウムを含有する非プロトン性極性溶媒に溶解した下記の式を有する
尿素ウレタンを基礎とするチクソトロープ組成物
」（特許請求の範囲の請求項１参照）
　（2-ii）「発明の詳細な説明
　本発明は、尿素ウレタンに基づくチクソトロープ組成物に関するものであり、詳しく述べると、
チクソトロープ剤として尿素ウレタンを含有する被覆材料として使用されるチクソトロープ剤に関する
　例えば塗料、ラッカー、ワニス、オーバーレイ組成物等のような
被覆組成物に使用される公知のチクソトロープ剤は、
これらの公知の組成物の欠点は、固体生成物で粒子化により被覆障害が起こりかつ例えばつや消し、曇り、白化等が生じ
　（2-iii）「したがって、本発明の目的はチクソトロピーを有する薬剤を提供することにあり、他の目的は潜在状態で物性が有するチクソトロープ基を高濃度で有する薬剤を提供することにあり、さらに他の目的は液状のチクソトロープ剤を提供することにある。」（第３頁左上欄３〜８行参照）
　（2-iv）「
本発明の組成物が被覆配合物に使用される場合、非プロトン性極性溶媒の代わりに、アルコール、ＫＷ−混合物、ケトン、エステル等のような適当なラッカー溶媒が使用でき
　
［引用例３］
　（3-i）「【請求項１】  モノヒドロキシル化合物をジイソシアネートと反応させて得られたモノイソシアネート付加物を非プロトン性溶媒中、リチウム塩の存在下、ジアミンと更に反応させて生成した
尿素ウレタンを含有する、チキソトロープ剤
Ｒ−ＯＨ　　　　（Ｉ）
（式中、Ｒは炭素数４〜２２のｎ−アルキルもしくはイソアルキル、炭素数６〜１２のシクロアルキル、炭素数７〜１２のアラールキル、又はＣmＨ2m+1（Ｏ−ＣnＨ2n）x−もしくはＣmＨ2m+1（ＯＯＣ−ＣvＨ2v）x−（ただし、ｍ＝１〜２２、ｎ＝２〜４、ｘ＝１〜１５及びＶ＝４又は５）で表される残基）で表されるモノヒドロキシル化合物を1.５〜５倍モル過剰のトルイレンジイソシアネートと反応させ、未反応のトルイレンジイソシアネートを反応混合物より除去し、次いで、得られたモノイソシアネート付加物を、リチウム塩の存在下で、一般式(II)：
Ｈ2Ｎ−Ｒ''−ＮＨ2 　　 (II)
（式中、Ｒ''は−ＣyＨ2y−を表し、ｙは２〜１２である）で表される化合物、下記式で表される化合物：
及び、下記式で表される化合物：
（式中、Ｒ'''はメチル基又は水素原子である）からなる群より選ばれた少なくとも一のジアミン類と反応させることを特徴とする
チキソトロープ剤として有効
　（3-ii）「【０００２】
【従来の技術】
液状塗料組成物のレオロジーを制御するために
有機変性ベントナイト
が主に用いられている。これらの物質は
これらのレオロジー助剤に一般的な欠点は、これらが透明塗膜の濁りと曇り（ヘーズ）を生じることである
　（3-iii）「【０００６】
【発明が解決しようとする課題】よって、本発明の目的は、
明確な構造を有するチキソトロープ剤を製造する方法を見出すことであり
得られた溶液を数カ月以上安定に貯蔵することを可能にし、前記溶液の使用信頼性を一層高めることにある
　
４．対比、判断
　そこで、本願発明と引用例１に記載された発明とを対比する
　引用例１には、上記「３．」の［引用例１］の摘示、特に摘示（1-i）及び（1-iv）のチキソトロープ剤の記載からみて、次の発明（以下、「引用例発明」という。）が記載されていると認められる。
　「化粧料として許容しうる媒質中に、微小球及び少なくとも一種のフィルム形成物質を含有し、ＢＹＫ−Ｃｈｅｍｉｅから入手できる商品名ＢＹＫ−４１０のような尿素で修飾されたチキソトロープ剤を含有してよい、つめ被覆組成物。」
　
　そして、
　（ａ）引用例発明の「つめ被覆組成物」は、ネイルエナメル組成物（摘示（1-iv），（1-v）参照）であって、本願発明の「マニキュア液組成物」に相当する。
　（ｂ）引用例発明の「化粧料として許容しうる媒質」は、本願発明の「香粧品として許容し得る溶媒系」に相当する。
　（ｃ）引用例発明の「少なくとも一種のフィルム形成物質」は、本願発明の「少なくとも１つの皮膜形成物質」に相当する。
　（ｄ）引用例発明の「ＢＹＫ−Ｃｈｅｍｉｅから入手できる商品名ＢＹＫ−４１０のような尿素で修飾されたチキソトロープ剤」は、本願発明の実施例でも用いられている「変性尿素−ウレタン（ＢＹＫ−４１０）」（ＢＹＫ−ケミー社製；段落【００１８】参照）であると認められることから、本願発明の「前記少なくとも１つの尿素変性チキソトロピー剤は次の式：
　R-O-CO-NH-R'-NH-CO-NH-R''-NH-CO-NH-R'-NH-CO-OR
（式中、ＲはCnH2n+1−及びCmH2m+1(CpH2pO)r−から選ばれ、
　　　　ｎは４〜２２の整数であり、ｍは１〜１８の整数であり、
　　　　ｐは２〜４の整数であり、ｒは１〜１０の整数であり、
　　　　Ｒ’は　・・（　構造式略　）・・　から選ばれ、
　　　　Ｒ”は　・・（　構造式略　）・・　から選ばれる）
を有する尿素ウレタンである」に相当し、両者は、「前記少なくとも１つの尿素変性チキソトロピー剤は変性尿素−ウレタン（ＢＹＫ−４１０）を含む尿素ウレタンである」と言える点で一致する。
　（ｅ）引用例発明では「微小球」が含有されている。しかし、本願発明では、可塑剤、着色剤、繊維、ナノ微粒子の二酸化チタンなどの紫外線吸収剤等の各種添加剤が配合して良いのであり、また実施例２の組成物５ではポリエチレンテレフタレート粒子が含有されている（段落【００４３】参照）ことから、「微小球」を含有することは、本願発明との相違点とはなり得ない。
　
　してみると、両発明は、
　「香粧品として許容し得る溶媒系中に、少なくとも１つの皮膜形成物質を含有し、及び、少なくとも１つの尿素変性チキソトロピー剤を含有してよい（または含有する）、前記少なくとも１つの尿素変性チキソトロピー剤は変性尿素−ウレタン（ＢＹＫ−４１０）を含む尿素ウレタンである、マニキュア液組成物。」
で一致し、次の相違点Ａ，Ｂで一応相違している。
＜相違点＞
　Ａ．尿素変性チキソトロピー剤に関し、本願発明では、「含有する」とされているのに対し、引用例発明では、「含有してよい」とされている点
　Ｂ．香粧品として許容し得る溶媒系に関し、本願発明では、「ジアセトンアルコール及びＣ1〜Ｃ6アルキルアセテートとＣ1〜Ｃ6アルキルアルコールから選ばれる少なくとも１つの追加の溶媒から成る」と特定しているのに対し、引用例発明ではそのように特定していない点。
　
　そこで、これらの相違点について検討する。
（１）相違点Ａについて
　液状の塗布液のレオロジーを制御するためにチキソトロピー剤を含有させることは知られているところ、引用例２，３には、チキソトロピー剤として有機変性ベントナイトや（親水性）ケイ酸、水素化ヒマシ油などが汎用されているが、それらを用いたのでは透明塗膜の濁りや曇りが生じることが明らかにされており、それを改善するために、尿素ウレタンをチキソトロープ剤に用いることが記載されている（摘示（2-i）〜（2-iv），（3-i）〜（3-iii）参照）。
　そうであるから、引用例発明において、含有してよいとの記載ではあっても、具体的に明示された、尿素で修飾されたチキソトロープ剤であるＢＹＫ−Ｃｈｅｍｉｅ社のＢＹＫ−４１０を含有させることは、当業者であれば容易に為し得る態様であると言える。
　
（２）相違点Ｂについて
　引用例１には、媒質（溶媒）の例として、「アルキルアセテート（例えばメチル、エチル、プロピル、またはアミルアセテート）、アルコール類（例えばエチル、イソプロピル、ｎ−ブチルアルコール）」などが例示され、実施例１ではエチルアセテートとブチルアセテートとプロピルアセテートとイソプロピルアルコールとブチルアルコールが併用されている（摘示（1-v）参照）ところ、それらは本願発明で用いる「Ｃ1〜Ｃ6アルキルアセテートとＣ1〜Ｃ6アルキルアルコール」に相当するものであることは明らかであるものの、「ジアセトンアルコール」については言及されていない。
　しかし、原査定の備考において周知例とともに指摘されているように、「ジアセトンアルコール」も、ネイルエナメル組成物で汎用されている溶媒にすぎない。ここに、周知例として例示された文献である、特開２０００−１４３４４７号公報には、ニトロセルロースなどを含有する美爪組成物の溶媒について「有機溶媒としては、・・・ケトン類；−エタノール、イソプロパノール、ジアセトンアルコール、・・等の室温で液体のアルコール類；・・・；−酢酸エチル、酢酸メチル、酢酸プロピル、酢酸ｎ−ブチル及び酢酸イソペンチル等の短鎖エステル類・・・；−上記の混合物」（段落【００２９】参照）、特開平１１−３３５２４１号公報には、ネールエナメルの溶剤成分について「比較的低沸点のものとして・・酢酸エチル、酢酸イソプロピル・・・、中沸点のものとして酢酸ブチル、酢酸アミル、・・・、比較的高沸点のものとして・・ジアセトンアルコール・・・が使用可能であり、助溶剤としてエチルアルコール、イソプロピルアルコール及びブタノールが使用可能であり」（段落【００３２】参照）、特表平１１−５０９８６９号公報には、ネイルエナメル組成物の溶剤について「非−水性溶剤が、アセトン、ジアセトンアルコール、・・・、メタノール、プロパノール、・・ブチルアルコール、・・イソプロパノール、酢酸エチル、酢酸ブチル、またはこれらの混合物である」（請求項４参照）、特開平１０−１６７９３２号公報には、ネイルエナメルの溶剤成分について「溶剤成分としては、真溶剤である酢酸エチル、酢酸ブチル、ジアセトンアルコール等のエステル系、ケトン系が使用され、助溶剤としてＩＰＡ、ブタノールなどのアルコール系が使用され、・・・」（段落【００１０】参照）と説明されている。
　そうすると、引用例発明においても、その媒質（溶媒）として、「Ｃ1〜Ｃ6アルキルアセテート」や「Ｃ1〜Ｃ6アルキルアルコール」に加えて、「ジアセトンアルコール」を併用してみることは、当業者が容易に想到し得たものと言える。
　
（３）作用効果について
　本願明細書には、「クレーのチキソトロープは濁った懸濁液を生じ、組成物を乳白色にして、しばしば見た目に不快な、瓶の中に多少黄色かがった色を生じる。この不透明は、一般に組成物中に着色剤及び／又は色素の存在によりマスクされるが、クレーチキソトロープの使用は、最終処方されたマニュキュア液の光沢を減少される。」（段落【０００４】参照）との問題点が記載され、「従来の技術のクレーチキソトロープの代わりに、又はそれに加えて尿素変性チキソトロピー剤の使用が光沢を改良した透明な懸濁液を得ることができることを発見し、そして更に懸濁液の透明度は尿素変性チキソトロピー剤が、ジアセトンアルコール及び、Ｃ１〜Ｃ６アルキルアセテートとＣ１〜Ｃ６アルキルアルコールから選ばれる少なくとも１つの追加の溶媒を含む溶媒系中に存在するとき更に促進し得ることを発見した。」（段落【００１１】参照）と説明されている。
　
　しかし、前記（１）で検討しているように、クレーなどを用いたのでは透明塗膜の濁りや曇りが生じることが明らかにされていて、そのため尿素ウレタンをチキソトロピー剤として用いることが明らかにされているのであるから、尿素変性チキソトロピー剤を用いることによって透明な懸濁液が得られることは期待されることにすぎず、格別予想外の作用効果を奏しているとは認められない。
　
　また、本願明細書の実施例を検討すると、実施例２では「ジアセトンアルコール」を併用しているが、実施例１では「ジアセトンアルコール」を使用していない。それにもかかわらず、「ジアセトンアルコール」を用いない実施例１では、古典的な組成物と比較したとき優れた透明度を維持した（組成物１について）と説明（段落【００３６】参照）されているし、「全体として、本発明の組成物は、「古典的な組成物と比較したとき、高い光沢、より良好な安定性、すなわち、普通は懸濁させることが困難である顔料を有していてさえも安定で、そして適用性が改善され、例えば、組成物が乾燥後爪にブラシマークが殆んど知覚できないという特性を有していた。」（段落【００３９】参照；なお、”「古典的な組成物”は、閉じる”」”が脱落していると認められる。）と説明されていて、「ジアセトンアルコール」を用いなくとも所期の作用効果は奏されている。
　しかも、「ジアセトンアルコール」を併用した実施例２でも、「全体として、本発明の組成物は、「古典的な組成物と比較したとき、高い光沢、より良好な安定性、すなわち、普通は懸濁させることが困難である顔料を有していてさえも安定で、そして向上した適用性、例えば、組成物が乾燥後爪にブラシマークが殆んど知覚できないという特長を有していた。」（段落【００４５】参照）と説明されていて、前記実施例１の場合の説明（段落【００３９】参照）と実質的な差異はないから、「ジアセトンアルコール」の使用の有無によって格別の相違がないことは明らかであると言う他ない。
　そうすると、前記摘示した段落【００１１】に記載された、「懸濁液の透明度は尿素変性チキソトロピー剤が、ジアセトンアルコール及び、Ｃ１〜Ｃ６アルキルアセテートとＣ１〜Ｃ６アルキルアルコールから選ばれる少なくとも１つの追加の溶媒を含む溶媒系中に存在するとき更に促進し得る」ことは、実証されていない。
　
　これに対し、審判請求人は、審判請求理由において、「本願発明の特定の溶媒系がもたらす顕著な効果を証明するため、本願出願人は比較試験を行ったので、以下にその結果について記載する。　比較試験では、溶媒系のみ異なる２つのマニキュア液組成物を作製し、その安定性や均一性を目視により比較した。すなわち、本願発明の溶媒系を含有するマニキュア液組成物として、「ジアセトンアルコール、及びＣ1〜Ｃ6アルキルアセテートとＣ1〜Ｃ6アルキルアルコールから選ばれる少なくとも１つの追加の溶媒から成る溶媒系」を含有する組成物を作製し、また、比較として、上記の本願発明の溶媒系において、ジアセトンアルコールを含まない溶媒を含有するマニキュア液組成物を作製した。　２つのマニキュア液組成物を比較したところ、本願発明の組成物は、非常に安定性に優れることがわかった。通常、マニキュア液組成物の全体に亘って顔料を浮かべることは困難であるが、本願発明の組成物は、均一に顔料を溶液中に浮遊させることができ、本願発明の溶媒系を含有する組成物の優れた安定性を確認することができた。これに対して、比較組成物では、組成物の溶液中に顔料の固まりが顕著に見られ、容器の首の部分では顔料の分離が生じていた。」と主張し、比較試験結果を示す写真の写し及び写真を、１回目及び２回目の手続補足書で提示している。
　しかし、比較試験に用いたマニュキュア組成物については、ジアセトンアルコール含有の有無があるとするだけで、使用されたマニュキュア液がどのような組成のものか、その具体的な成分が全く記載されておらず、また、安定性がどの程度の時間経過の状態での対比であるのかなど、データとして評価し得る程度に記載されていないから、対比データとして検討できる状態であると言えず、到底勘案できるものではない。
　加えて、前記で検討したように、本願明細書に記載された実施例１と実施例２との対比によって、ジアセトンアルコール含有の有無によっても作用効果に差異がないのであるから、仮に、提示されたデータが適切なもので、差異が示されたとしても、特定の条件（被覆成分、顔料、チキソトロピー剤などの種類やそれらの使用割合など）において差異があり得るとされるだけであって、本願発明に包含される全ての場合にまで、格別の差異があるとすることはできるものではない。
　
　以上のとおり、相違点Ａ，Ｂに係る本願発明の発明特定事項をいずれも又併せ採用することは、当業者が容易に想到し得るものであり、それによって得られる作用効果も格別予想外と言えるほど顕著なものと言うことができない。
　よって、本願発明は、引用例２，３の記載並びに周知事項を勘案し、引用例発明に基づいて当業者が容易に発明をすることができたものである。
　
５．むすび
　したがって、本願発明は、特許法第２９条第２項の規定により特許を受けることができない。
　それ故、本願は、その余の請求項について論及するまでもなく拒絶すべきものである。
　よって、結論のとおり審決する。